(57)【要約】【課題】車両部品発注を容易且つ正確に行うことができる、車両部品販売支援技術を提供する。【解決手段】車両部品の販売の支援を行う、データベースに接続可能なコンピュータ１００が、車両部品を取り付ける車両に関する車両関連情報を車両属性情報に基づいてデータベースから索出し、前記車両属性情報及び部品属性情報に基づいて車両部品情報を、データベースから索出し、索出した前記車両部品情報を前記車両関連情報と合成し、前記車両部品情報の車両部品発注情報を生成し、前記車両部品発注情報に基づいて車両部品受注情報を生成するようにした。【選択図】  図２
2004152086.tif 000002
【特許請求の範囲】
【請求項１】
車両部品の販売の支援を行う、データベースに接続可能なコンピュータが、
車両部品を取り付ける車両に関する車両関連情報を車両属性情報に基づいてデータベースから索出するステップと、
前記車両属性情報及び部品属性情報に基づいて車両部品情報を、データベースから索出するステップと、
索出した前記車両部品情報を前記車両関連情報と合成するステップと、
前記車両部品情報の車両部品発注情報を生成するステップと、
前記車両部品発注情報に基づいて車両部品受注情報を生成するステップと、を実行する車両部品販売支援方法。
【請求項２】
前記車両関連情報には、
車体外観を示す車両画像情報、前記車両画像情報の車体範囲を選択する車体範囲情報、並びに車体範囲情報で選択された範囲を任意の色に変更するための車体色情報を含む、
請求項１に記載の車両部品販売支援方法。
【請求項３】
車両部品の販売の支援を行う、データベースに接続可能なコンピュータに、
車両部品を取り付ける車両に関する車両関連情報を車両属性情報に基づいてデータベースから索出するステップと、
前記車両属性情報及び部品属性情報に基づいて車両部品情報を、データベースから索出するステップと、
索出した前記車両部品情報を前記車両関連情報と合成するステップと、
前記車両部品情報の車両部品発注情報を生成するステップと、
前記車両部品発注情報に基づいて車両部品受注情報を生成するステップと、を実行させる車両部品販売支援プログラム。
【請求項４】
車両部品の販売の支援を行う、データベースに接続可能な装置であって、
車両部品を取り付ける車両に関する車両関連情報を車両属性情報に基づいてデータベースから索出する車両関連情報索出手段と、
前記車両属性情報及び部品属性情報に基づいて車両部品情報を、データベースから索出する車両部品情報索出手段と、
索出した前記車両部品情報を前記車両関連情報と合成する画像合成手段と、
前記車両部品情報の車両部品発注情報を生成する車両部品発注情報生成手段と、
前記車両部品発注情報に基づいて車両部品受注情報を生成する車両部品受注情報生成手段と、からなる車両部品販売支援装置。
【発明の詳細な説明】
【０００１】
【発明の属する技術分野】
本発明は車両部品販売支援技術に関するものである。
【０００２】
【従来の技術】
近年、自家用車のユーザ間においては、所有する自動車等の車両の外観や内装をユーザ自身の嗜好に合わせる、所謂ドレスアップと称される改造を実施する傾向が高まってきた。
【０００３】
通常、ドレスアップを実施するには、ユーザが所有する車両を自動車整備業者、或いはドレスアップ業者などに持ち込んでいた。前記業者では、自動車メーカやドレスアップ部品メーカが作成した部品カタログやパーツリスト等をユーザに参照してもらい、ユーザが選択したドレスアップ部品を発注していた。
【０００４】
【発明が解決しようとする課題】
ところで、上記のようなドレスアップ部品は、多数のドレスアップ部品メーカから車種毎に多数のドレスアップ部品が販売されている。
【０００５】
カタログなどの僅かな情報から、多数のドレスアップ部品のうち自らの嗜好にあったドレスアップ部品を選択するのは、その情報量の多さに鑑みて容易ではなかった。
【０００６】
また、ドレスアップ業者にとっても、多数のドレスアップ部品を効率よく販売することは容易ではなかった。
【０００７】
本発明は、前記した事項に鑑みて為されたものであり、車両部品発注を容易且つ正確に行うことができる、車両部品販売支援技術を提供しようとすることを課題とする。
【０００８】
【課題を解決するための手段】
前記した課題を解決するために、本発明は以下の手段とした。
【０００９】
即ち、車両部品の販売の支援を行う、データベースに接続可能なコンピュータが、車両部品を取り付ける車両に関する車両関連情報を車両属性情報に基づいてデータベースから索出し、前記車両属性情報及び部品属性情報に基づいて車両部品情報を、データベースから索出し、索出した前記車両部品情報を前記車両関連情報と合成し、前記車両部品情報の車両部品発注情報を生成し、前記車両部品発注情報に基づいて車両部品受注情報を生成するようにした。
【００１０】
上記の手段により、本発明は、車両部品を取り付ける車両に合わせた車両部品の索出が容易に行われることで、車両部品の販売支援を行うことができる。
【００１１】
また、前記部品属性情報には、車両部品メーカ名、使用部位、塗装色のうち、少なくとも何れか一つを含んでもよい。
【００１２】
また、前記車両部品情報及び前記車両部品発注情報には、当該車両部品の画像情報を含んでもよい。
【００１３】
また、前記車両属性情報には、車両の名称、型式指定番号、類別区分番号、種別、販売価格帯に関する情報のうち少なくとも何れか一つを含んでもよい。
【００１４】
また、前記車両関連情報には、車両外観を示す画像情報を含んでもよい。
【００１５】
前記車両関連情報には、車体外観を示す車両画像情報、前記車両画像情報の車体範囲を選択する車体範囲情報、並びに車体範囲情報で選択された範囲を任意の色に変更するための車体色情報を含んでもよい。
【００１６】
さらに、前記コンピュータが、前記車両部品に関する画像情報の画像サイズの変更を受け付けるステップと、当該画像情報の画像サイズを変更するステップとを実行してもよい。
【００１７】
【発明の実施の形態】
以下、本発明である、車両部品販売支援方法の一実施の形態を図面を参照しつつ、説明を行う。
【００１８】
本実施の形態において、本発明の車両部品販売支援方法は、汎用のコンピュータ等の情報処理装置を用いて実現される。そして、本発明は、このコンピュータ等に車両部品販売支援プログラムをインストールして、車両部品販売支援装置として用いたものである。
【００１９】
図１は本実施の形態における車両部品販売支援装置の概略構成図であり、車両部品販売支援装置を符号１００で示す。
【００２０】
次に、車両部品販売支援装置１００の装置構成の一例を、図１に示す概略構成図を参照しつつ説明を行う。
【００２１】
まず、車両部品販売支援装置には、ＣＰＵ（ｃｅｎｔｒａｌ  ｐｒｏｃｅｓｓｉｎｇ  ｕｎｉｔ）１０１とメインメモリ（ＭＭ）１０２とから構成され、アプリケーションプログラムに基づいて処理を行う、演算処理部１０３が設けられている。
【００２２】
前記演算処理部１０３には、バス１０８を介して、記憶装置１０４が接続される。なお、記憶装置１０４には、通常はハードディスク装置等の大容量記憶媒体を用いる。
【００２３】
そして、前記記憶装置１０４には、本車両部品販売支援装置１００が正常に機能するために必要なオペレーティングシステム（ＯＳ）がインストールされている。
【００２４】
また、前記記憶装置１０４内には、汎用のアプリケーションプログラムがインストールされている。
【００２５】
さらに、前記記憶装置１０４内には、本発明の車両部品販売支援方法を実現するために作成された、コンピュータで実行可能な車両部品販売支援プログラムがインストールされている。
【００２６】
これらのプログラムは、図示しないＣＤ−ＲＯＭ等の記憶媒体に格納されて本車両部品販売支援装置１００に提供され、図２に示されるＣＤ−ＲＯＭドライブ装置１０９等を通じて、前記記憶装置１０４内に実行可能な状態でインストールされる。
【００２７】
そして、ＣＰＵ１０１が必要に応じて記憶装置１０４内の車両部品販売支援プログラムをメインメモリ１０２にロード（読み込み）し、順次実行することによって、本実施の形態である、車両部品販売支援方法を実現する車両部品販売支援システムにおける車両関連情報索出手段と、車両部品情報索出手段と、画像合成手段と、車両部品発注情報生成手段と、車両部品受注情報生成手段とを実現している。
【００２８】
前記記憶装置１０４内には、本発明の車両部品販売支援方法を実現するために必要なデータベースが設けられている。
【００２９】
前記データベースには、車両部品情報が格納されている。前記データベースに格納される車両部品情報について、より具体的に説明を行う。
【００３０】
車両部品情報には、車両関連情報、部品属性情報、写真画像情報、等が格納されている。
【００３１】
車両関連情報は、車両のメーカ情報、車種情報、車両型式指定番号情報、等の車両に関連付けられた情報を含むものである。
【００３２】
部品属性情報は、車両部品メーカ名、使用部位、塗装色の情報のうち、少なくとも何れか一つを含み、この他に部品名称情報、品番情報、部品分類情報、価格情報、等を含むものである。
【００３３】
また、前記車両関連情報に、車体外観を示す車両画像情報と、この画像の車体範囲を選択する車体範囲情報と、車体範囲情報で選択された範囲を任意の色に変更するための車体色情報とを含むことにより、表示されている車両の塗装色を様々に変更できるため、ユーザの希望の仕様を自由に表示されることができる。
【００３４】
前記車体範囲情報とは、車両関連情報のうち、画像情報の車体範囲を選択するファイルで、画像処理アプリケーションにおけるレイヤー処理をするための情報である。このマスクで選択された部分は車体色情報７によって用意された任意の色に変更できる。
【００３５】
車体色情報とは、ユーザが表示中の車両の塗装色を任意に変更してイメージを確認するためのものである。
【００３６】
部品名称情報は、例えば、フロントバンパーやリアウイングなどの部品名称の情報を含むものである。
【００３７】
品番情報は、例えば、「Ｎ」社の車名「Ｓ」でグレード名「ＧＴＳ−ｔ」の平成元年式の場合、ドレスアップ業者「Ｈ」社におけるリアウイングの品番は「○×△−１３○○×△」である、などといった車両個々におけるそれぞれの部品に関する品番情報を含むものである。
【００３８】
部品分類情報は、個々の部品に関する、メーカ純正品と市販品との分類情報等を含むものである。
【００３９】
価格情報は、前記品番「○×△−１３○○×△」のリアウイングの価格は、３万５千円である、等の情報を含むものである。
【００４０】
部位名情報は、個々の部品を使用する部位に関する情報を含むものである。例えば、リアウイングの部位名情報は、車両の後部トランク部分、などとなる。
【００４１】
写真画像情報は、個々の部品の写真画像を含むものである。当該写真画像は、ディスプレイ等の画面上での表示サイズと撮影位置とを自由に変化させることができる。
【００４２】
また、本車両部品販売支援装置１００の演算処理部１０３には、バス１０８を介して入力手段及び出力手段が接続されている。
【００４３】
車両部品販売支援装置１００の入力手段及び出力手段の一例を挙げる。
【００４４】
まず、入力手段として、各種情報を入力するためのキーボード１０７或いはマウス等の入力装置が設けられている。また、出力手段として、ディスプレイ１０６或いはプリンタ１０５等の出力装置が、バス１０８を介して演算処理部１０３に接続される。
【００４５】
次に、本実施の形態における、車両部品販売支援装置１００による車両部品販売支援の手順について、図面を参照しつつ説明を行う。
【００４６】
本実施の形態において、車両部品販売支援装置１００による各処理は、マウス等ポインティングデバイス（画像位置指示装置）を用いて画面上の絵や文字を操作しコマンドを入力するＧＵＩ（Ｇｒａｐｈｉｃａｌ  Ｕｓｅｒ  Ｉｎｔｅｒｆａｃｅ）によって受け付ける。
【００４７】
また本実施の形態において、車両部品販売支援装置１００は、ＣＧＩ（ＣｏｍｍｏｎＧａｔｅｗａｙ  Ｉｎｔｅｒｆａｃｅ）によって、各端末からの指示に対する処理を返している。
【００４８】
図２は、本実施の形態における、車両部品販売支援装置１００による車両部品販売支援の手順について説明した画面遷移図である。
【００４９】
まず、車両部品販売支援装置１００は、ディスプレイ１０６にメインメニュー画面１を表示する。図３は、このメインメニュー画面１を詳細に示した図である。
【００５０】
メインメニュー画面１には、処理実行指示部１ａと見積参照指示部１ｂとがある。この処理実行指示部１ａ及び見積参照指示部１ｂは、本発明の車両部品販売支援方法を車両部品販売支援装置１００に実施させるときに、車両部品販売支援装置１００のオペレータがマウス等のポインティングデバイスで指示する。なお、見積参照指示部１ｂは、過去に車両部品販売支援を実施した顧客乃至は車両の情報を参照して、前回の見積を変更する場合等に用いる。この見積参照については、後述する。
【００５１】
次に、処理実行指示部１ａが指示されたことで車両部品販売支援装置１００は、車両部品販売支援プログラムを実行する。車両部品販売支援装置１００は、車両関連情報一覧画面３から車両部品を取り付ける車両に関する車両関連情報を索出するための車両属性情報を受け付けて、車両関連情報索出手段を実現する。図４は車両関連情報選択画面２の一例を示す。
【００５２】
この車両関連情報選択画面２では、車両関連情報を索出するために、車両のメーカ名の入力を受け付けている。この車両関連情報選択画面２では、車両のメーカ名の以外にも、前述の他の車両属性情報を受け付けることが可能である。車両部品販売支援装置１００は、この車両属性情報に基づいて、記憶装置１０４内のデータベースから車両関連情報を索出する。
【００５３】
車両部品販売支援装置１００は、この車両関連情報に基づいてデータベースから車両部品情報を索出する車両部品情報索出手段を実現する。
【００５４】
車両部品販売支援装置１００は、この車両関連情報と車両部品情報とを同一の画面上に合成して表示する。車両部品販売支援装置１００は、車両関連情報と車両部品情報とを表示する車両関連情報一覧画面３を生成し、ディスプレイ１０６に出力する。図５は、この車両関連情報一覧画面３の一例を示す。
【００５５】
車両関連情報一覧画面３には、車両部品情報表示部３ａ、画面切替指示部３ｂ、車両関連情報切替指示部３ｃ、車両部品切替指示部３ｄ、車両部品情報選択チェックボックス３ｅ等が設けられている。
【００５６】
車両部品情報表示部３ａは、前記車両関連情報と前記車両部品情報とを表示している。具体的に説明すると、車両部品情報表示部３ａには、部品のメーカ乃至はブランド別に、部品名情報と画像情報とを含む車両部品情報が表示されている。
【００５７】
画面切替指示部３ｂでは、車両部品情報表示部３ａに表示されていない他の車両部品情報がある場合に、画面を切り換えることができる。
【００５８】
車両関連情報を他の車両に切り換えるときには、車両関連情報切替指示部３ｃを指示する。
【００５９】
車両部品切替指示部３ｄを指示することによって、車両部品販売支援装置１００は見積情報を生成する車両部品の選択を受け付けることができる。
【００６０】
車両部品情報選択チェックボックス３ｅがチェックされた車両部品について、車両部品販売支援装置１００は、見積情報を生成する車両部品であると認識する。
【００６１】
車両関連情報一覧画面３にて見積を行う車両部品の車両部品情報の選択が終わると、車両部品販売支援装置１００は、車両部品選択確認画面４を生成する。この車両部品選択確認画面４は、選択された車両部品の商品名、価格、当該車両に取り付けたときの画像情報、等が表示される。図６は、この車両部品選択確認画面４の一例である。
【００６２】
車両部品情報表示部４ａには、車両部品の商品名、価格、車両関連情報等の詳細な情報が表示される。車両部品画像情報表示部４ｂには、選択した車両部品を当該車両に取り付けたときの画像情報が表示される。
【００６３】
この画像情報は、部品を取り付ける車両の画像情報と取り付ける車両部品の画像情報とを合成する、画像合成手段によって合成されたものである。取り付ける車両部品を変更すれば、車両の画像情報も変更される。
【００６４】
またこのとき、車体外観を示す車両画像情報に、この画像の車体範囲を選択する車体範囲情報と、車体範囲情報で選択された範囲を任意の色に変更するための車体色情報とを含むことにより、表示されている車両の塗装色を様々に変更できる。このため、ユーザの希望の仕様を自由に表示されることができる。
【００６５】
前記車体範囲情報とは、車両関連情報のうち、画像情報の車体範囲を選択するファイルで、画像処理アプリケーションにおけるレイヤー処理をするための情報である。このマスクで選択された部分は車体色情報７によって用意された任意の色に変更できる。
【００６６】
車体色情報とは、ユーザが表示中の車両の塗装色を任意に変更してイメージを確認するためのものである。
【００６７】
そして、抜けた車体塗装部分の輝度情報を一時保存し、色情報のみを車体色情報の色見本に置き替える。なお、色見本は車種によって異なるため、車種毎の色データを備えている。
【００６８】
見積生成決定指示部４ｃは、この車両部品選択確認画面４の内容について見積を生成する場合にマウス等で指示する。
【００６９】
前述の車両部品選択確認画面４によって車両部品の選択が為されると、車両部品販売支援装置１００は、車両部品選択一覧画面５を生成する。図７は、この車両部品選択一覧画面５の一例である。この車両部品選択一覧画面５は、車両部品選択確認画面４で選択された車両部品を一覧表としたものである。オペレータは、この車両部品選択一覧画面５で見積を生成する車両部品の最終確認を行うことができる。
【００７０】
車両部品選択一覧画面５で見積内容の確認が為されると、車両部品販売支援装置１００は、車両部品の見積情報として、車両部品発注情報画面６を生成する。図８は、この車両部品発注情報画面６の一例である。
【００７１】
車両部品発注情報画面６には、車両部品を取り付ける車両の車名、登録番号等の車両属性情報及び車両関連情報表示部６ａ、取り付ける車両部品の名称、価格等の車両部品情報表示部６ｂ、車両部品の合計金額、工賃等の見積金額情報表示部６ｃ、車両部品取付時の車両のイメージ画像として画像情報が表示される車両関連情報表示部６ｄ、この車両部品発注情報画面６に基づいて発注情報生成や見積書の印刷、並びに受注情報生成を行うための指示部６ｅが設けられている。なお、車両関連情報表示部６ｄは、車両の向きや塗装色を変更すること、また取り付ける車両部品を画面上で変更することも可能である。このとき、当該車両関連情報表示部６ｄに応じて、車両部品情報表示部６ｂ、見積金額情報表示部６ｃの情報も変更される。
【００７２】
この車両部品発注情報画面６から注文を受けることで、車両部品販売支援装置１００は本発明の車両部品発注情報生成手段と車両部品受注情報生成手段とを実現する。
【００７３】
また、この車両部品発注情報は、車両部品販売支援装置１００の記憶装置１０４内に格納して、再度見積の検討を行うことも可能である。その場合には、オペレータは、メインメニュー画面１から見積参照指示部１ｂを選択して、見積呼び出し画面７を表示させる。図９は、この見積呼び出し画面７の一例である。見積呼び出し画面７には、車両部品発注情報の伝票番号、日付、顧客名、金額などの情報が表示されている。オペレータは、これらの情報を参照して過去の見積情報を索出することができる。
【００７４】
〔その他の実施形態〕
尚、本発明の車両部品販売支援方法は、本実施の形態にのみ限定されるものではなく、本発明の要旨を逸脱しない範囲内において種々変更を加え得ることは勿論である。
【００７５】
例えば以下の各項に示した構成であっても前記の実施形態と同様の効果が得られる。
【００７６】
〔１〕
車両部品の販売の支援を行う、データベースに接続可能なコンピュータが、
車両部品を取り付ける車両に関する車両関連情報を車両属性情報に基づいてデータベースから索出するステップと、
前記車両属性情報及び部品属性情報に基づいて車両部品情報を、データベースから索出するステップと、
索出した前記車両部品情報を前記車両関連情報と合成するステップと、
前記車両部品情報の車両部品発注情報を生成するステップと、
前記車両部品発注情報に基づいて車両部品受注情報を生成するステップと、を実行する車両部品販売支援方法。
【００７７】
〔２〕
前記車両部品情報及び前記車両部品発注情報には、
当該車両部品の画像情報を含む、
〔１〕に記載の車両部品販売支援方法。
【００７８】
〔３〕
前記車両関連情報には、
車両外観を示す画像情報を含む、
〔２〕に記載の車両部品販売支援方法。
【００７９】
〔４〕
前記車両関連情報には、
車体外観を示す車両画像情報、前記車両画像情報の車体範囲を選択する車体範囲情報、並びに車体範囲情報で選択された範囲を任意の色に変更するための車体色情報を含む、
〔３〕に記載の車両部品販売支援方法。
【００８０】
〔５〕
前記コンピュータが、
前記車両部品に関する画像情報の画像サイズの変更を受け付けるステップと、当該画像情報の画像サイズを変更するステップとを実行する〔４〕に記載の車両部品販売支援方法。
【００８１】
〔６〕
前記部品属性情報には、
車両部品メーカ名、使用部位、塗装色のうち、少なくとも何れか一つを含む、〔５〕に記載の車両部品販売支援方法。
【００８２】
〔７〕
前記車両属性情報には、
車両の名称、型式指定番号、類別区分番号、種別、販売価格帯に関する情報のうち少なくとも何れか一つを含む、
〔５〕または〔６〕に記載の車両部品販売支援方法。
【００８３】
〔８〕
車両部品の販売の支援を行う、データベースに接続可能なコンピュータに、
車両部品を取り付ける車両に関する車両関連情報を車両属性情報に基づいてデータベースから索出するステップと、
前記車両属性情報及び部品属性情報に基づいて車両部品情報を、データベースから索出するステップと、
索出した前記車両部品情報を前記車両関連情報と合成するステップと、
前記車両部品情報の車両部品発注情報を生成するステップと、
前記車両部品発注情報に基づいて車両部品受注情報を生成するステップと、を実行させる車両部品販売支援プログラム。
【００８４】
〔９〕
前記車両部品情報及び前記車両部品発注情報には、
当該車両部品の画像情報を含む、
〔８〕に記載の車両部品販売支援プログラム。
【００８５】
〔１０〕
前記車両関連情報には、
車両外観を示す画像情報を含む、
〔９〕に記載の車両部品販売支援プログラム。
【００８６】
〔１１〕
前記車両関連情報には、
車体外観を示す車両画像情報、前記車両画像情報の車体範囲を選択する車体範囲情報、並びに車体範囲情報で選択された範囲を任意の色に変更するための車体色情報を含む、
〔１０〕に記載の車両部品販売支援プログラム。
【００８７】
〔１２〕
前記コンピュータに、
前記車両部品に関する画像情報の画像サイズの変更を受け付けるステップと、当該画像情報の画像サイズを変更するステップとを実行させる〔１１〕に記載の車両部品販売支援プログラム。
【００８８】
〔１３〕
車両部品の販売の支援を行う、データベースに接続可能な装置であって、
車両部品を取り付ける車両に関する車両関連情報を車両属性情報に基づいてデータベースから索出する車両関連情報索出手段と、
前記車両属性情報及び部品属性情報に基づいて車両部品情報を、データベースから索出する車両部品情報索出手段と、
索出した前記車両部品情報を前記車両関連情報と合成する画像合成手段と、
前記車両部品情報の車両部品発注情報を生成する車両部品発注情報生成手段と、
前記車両部品発注情報に基づいて車両部品受注情報を生成する車両部品受注情報生成手段と、からなる車両部品販売支援装置。
【００８９】
本発明において、以上の各構成要素は、可能な限り組み合わせることができる。
【００９０】
【発明の効果】
以上、説明したように本発明の車両部品販売支援方法によれば、車両部品発注を容易且つ正確に行うことができる、という優れた効果を奏し得る。
【図面の簡単な説明】
【図１】本実施の形態における、車両部品販売支援装置の装置構成の一例を示す図。
【図２】本実施の形態における、車両部品販売支援装置による車両部品販売支援の手順について説明した画面遷移図。
【図３】本実施の形態におけるメインメニュー画面の一例を示す図。
【図４】本実施の形態における車両関連情報選択画面の一例を示す図。
【図５】本実施の形態における、車両関連情報一覧画面の一例を示す図。
【図６】本実施の形態における車両部品選択確認画面の一例を示す図。
【図７】本実施の形態における車両部品選択一覧画面の一例を示す図。
【図８】本実施の形態における車両部品発注情報画面の一例を示す図。
【図９】本実施の形態における見積呼び出し画面の一例を示す図。
【符号の説明】
１          メインメニュー画面
１ａ      処理実行指示部
１ｂ      見積参照指示部
２          車両関連情報選択画面
３          車両関連情報一覧画面
３ａ      車両部品情報表示部
３ｂ      画面切替指示部
３ｃ      車両関連情報切替指示部
３ｄ      車両部品切替指示部
３ｅ      車両部品情報選択チェックボックス
４          車両部品選択確認画面
４ａ      車両部品情報表示部
４ｂ      車両部品画像情報表示部
４ｃ      見積生成決定指示部
５          車両部品選択一覧画面
６          車両部品発注情報画面
６ａ      車両関連情報表示部
６ｂ      車両部品情報表示部
６ｃ      見積金額情報表示部
６ｄ      車両関連情報表示部
６ｅ      指示部
７          見積呼び出し画面
１００  車両部品販売支援装置
１０１  ＣＰＵ
１０２  メインメモリ
１０３  演算処理部
１０４  記憶装置
１０５  プリンタ
１０６  ディスプレイ
１０７  キーボード
１０８  バス
１０９  ＣＤ−ＲＯＭドライブ装置
【図１】
2004152086.tif 000003
【図２】
2004152086.tif 000004
【図３】
2004152086.tif 000005
【図４】
2004152086.tif 000006
【図５】
2004152086.tif 000007
【図６】
2004152086.tif 000008
【図７】
2004152086.tif 000009
【図８】
2004152086.tif 000010
【図９】
2004152086.tif 000011